(57)【特許請求の範囲】
【請求項１】
エンドフレームの一部を構成するブラシホルダと、
そのブラシホルダの外側面に配設した一対のノイズ消去素子と、
前記ブラシホルダの外側面において一対のノイズ消去素子間に配設されるとともに、その一対のノイズ消去素子を直列に接続する中間端子と、
そのブラシホルダの内側に配設した一対の雌端子と、
その一対の雌端子にそれぞれ挿入されるとともに、前記ブラシホルダの外側面において前記中間端子と協働して前記一対のノイズ消去素子を挟持接続する一対の挟持端子とを備えたモータ。
【請求項２】
請求項１に記載のモータにおいて、
前記一対の挟持端子を、電源供給用のハーネスを有するソケットに設け、前記一対のノイズ消去素子及び前記中間端子を前記ソケットと前記ブラシホルダの外側面との間に配設したモータ。
【請求項３】
請求項１または請求項２に記載のモータにおいて、
前記一対のノイズ消去素子は、チップコンデンサであるモータ。
【請求項４】
請求項１〜請求項３のいずれか１項に記載のモータにおいて、
前記中間端子に、ヨークと接触する接続端子片を形成したモータ。
【請求項５】
請求項１〜請求項４のいずれか１項に記載のモータにおいて、
前記中間端子の接続端子片に凸部を形成したモータ。
【請求項６】
請求項１〜請求項５のいずれか１項に記載のモータにおいて、
前記雌端子には、前記ブラシホルダの外部に突出する雄端子を一体的に形成したモータ。
【発明の詳細な説明】
【０００１】
【発明の属する技術分野】
本発明は、モータに関し、特にノイズ消去素子を備えたモータに関するものである。
【０００２】
【従来の技術】
従来より、車両に搭載されるモータには、ノイズを消去するためのコンデンサやバリスタ等に代表されるノイズ消去素子が配設されている。このノイズ消去素子は、モータの端子とノイズ消去素子が配設された基板とをハーネスを介して接続する構成であった。
【０００３】
【発明が解決しようとする課題】
しかしながら、モータの端子とノイズ消去素子とをハーネスを介して接続すると、モータの端子からの配線が長くなり、ノイズ消去の効果があまり得られない。また、輻射ノイズがハーネスから発生する場合もあった。さらに、基板上に配設されたノイズ消去素子とハーネスとを半田付けする必要があるため、部品点数が増加するばかりでなく、組立工数も増加していた。
【０００４】
本発明は、このような問題点に着目してなされたものであって、その目的は、簡単な構成でノイズ消去素子を取り付けることが可能なモータを提供することにある。
【０００５】
【課題を解決するための手段】
上記の目的を達成するために、請求項１に記載の発明では、エンドフレームの一部を構成するブラシホルダと、そのブラシホルダの外側面に配設した一対のノイズ消去素子と、前記ブラシホルダの外側面において一対のノイズ消去素子間に配設されるとともに、その一対のノイズ消去素子を直列に接続する中間端子と、そのブラシホルダの内側に配設した一対の雌端子と、その一対の雌端子にそれぞれ挿入されるとともに、前記ブラシホルダの外側面において前記中間端子と協働して前記一対のノイズ消去素子を挟持接続する一対の挟持端子とを備えた。
【０００６】
請求項２に記載の発明では、請求項１に記載のモータにおいて、前記一対の挟持端子を、電源供給用のハーネスを有するソケットに設け、前記一対のノイズ消去素子及び前記中間端子を前記ソケットと前記ブラシホルダの外側面との間に配設した。
請求項３に記載の発明では、請求項１または請求項２に記載のモータにおいて、前記一対のノイズ消去素子は、チップコンデンサである。
【０００７】
請求項４に記載の発明では、請求項１〜請求項３のいずれか１項に記載のモータにおいて、前記中間端子に、ヨークと接触する接続端子片を形成した。
請求項５に記載の発明では、請求項１〜請求項４のいずれか１項に記載のモータにおいて、前記中間端子の接続端子片に凸部を形成した。
【０００８】
請求項６に記載の発明では、請求項１〜請求項５のいずれか１項に記載のモータにおいて、前記雌端子には、前記ブラシホルダの外部に突出する雄端子を一体的に形成した。
（作用）
各請求項に記載の発明によれば、ブラシホルダの外側面において、一対のノイズ消去素子は、中間端子によって直列に接続される。また、一対の挟持端子と中間端子とによって、一対のノイズ消去素子が挟持接続される。このため、モータを組み立てた後、必要に応じて一対のノイズ消去素子が取り付られる。
【０００９】
請求項２に記載の発明によれば、ソケットに設けられた一対の挟持端子を、一対の雌端子に挿入すると、一対のノイズ消去素子が挟持接続されるとともに、一対のノイズ消去素子に電源供給用のハーネスが接続される。
【００１０】
請求項３に記載の発明によれば、一対のチップコンデンサが直列に挟持接続される。
請求項４に記載の発明によれば、中間端子の接続端子片が、ヨークと接触する。
【００１１】
請求項５に記載の発明によれば、接続端子片の凸部が、ヨークと接触する。
【００１２】
【発明の実施の形態】
以下に、本発明を具体化した一実施形態を図面を用いて説明する。
図１に示すように、モータ１のモータハウジング１０は、ヨーク２０とエンドフレーム３０とで構成されている。エンドフレーム３０の側面からは、雄端子３１が突出形成されている。その雄端子３１には、電源供給用のハーネス３２が半田付けによって接続されている。
【００１３】
図２に示すように、ヨーク２０内には、マグネット２１が配設されている。そのマグネット２１内には、回転子２２が配設されている。その回転子２２は、シャフト２３、整流子２４、鉄心２５及び巻線２６を備えている。そして、その回転子２２は、ヨーク２０に配設された軸受２７及びエンドフレーム３０に配設された軸受３３によって、回転可能に軸支されている。
【００１４】
図３に示すように、エンドフレーム３０には、エンドフレーム３０の一部を構成するブラシホルダ３４がアウトサート成形にて設けられている。詳しくは、エンドフレーム３０は、一側が切り欠かれた半カップ状をなし、その切り欠かれた一側にブラシホルダ３４が延出形成されている。そのブラシホルダ３４は、絶縁を有する合成樹脂で形成されている。
【００１５】
ブラシホルダ３４の内側には、雌端子収容部３５が形成されている。この雌端子収容部３５には、雄端子３１を外部に突出させるための第１端子貫通孔３５ａが形成されている。また、後述する挟持端子４０を挿入させるための第２端子貫通孔３５ｂが形成されている。加えて、ブラシホルダ３４の内側には、その雌端子収容部３５から連通する連通部３６が形成されている。そして、雌端子収容部３５には、導電性のある金属でＵ字状に屈曲形成された雌端子３７が収容されている。その雌端子３７は、連通部３６内を延設されて、ブラシスプリング３８が形成されている。そのブラシスプリング３８の先端には、ブラシ３９が配設されている。また、雌端子３７には、雄端子３１が延出形成されており、その雄端子３１は、第１端子貫通孔３５ａを介して外部に突出している。
【００１６】
ブラシホルダ３４上の外側面には、一対のチップコンデンサＣ１，Ｃ２が配設されている。雌端子３７には、一対のチップコンデンサＣ１，Ｃ２の一端子と挟持接続するための挟持端子４０が第２端子貫通孔３５ｂを介して挿入されている。その挟持端子４０には、一対のチップコンデンサＣ１，Ｃ２を挟持するための挟持片４１が形成されている。一対のチップコンデンサＣ１，Ｃ２の間には、中間端子４２が配設されている。
【００１７】
図４に示すように、中間端子４２は、導電性のある金属でＴ字状に形成されている。中間端子４２の両端は、下方に向かって折り曲げられて、端子部４３，４４が形成されている。その端子部４３，４４には、一対のチップコンデンサＣ１，Ｃ２の一端子が挟持される。このため、一対のチップコンデンサＣ１，Ｃ２は、挟持端子４０の挟持片４１と中間端子４２の端子部４３，４４との間で、挟持接続される。一方、中間端子４２の中間位置には、接続端子片４５が延出形成されており、その接続端子片４５には、上方に湾曲された凸部４５ａが形成されている。
【００１８】
そして、図１（ｂ）に破線で示すように、接続端子片４５は、ヨーク２０内に挿入されて、凸部４５ａがヨーク２０内側面に対して電気的に弾性接触される。その結果、一対のチップコンデンサＣ１，Ｃ２の一端子同士は、その中間端子４２の端子部４３，４４を介して接続されるとともに、ヨーク２０にも中間端子４２に形成された凸部４５ａを介して接続される。一方、一対のチップコンデンサＣ１，Ｃ２の他端子は、挟持端子４０の挟持片４１を介して雌端子３７に接続される。なお、このように構成されたモータ１は、合成樹脂でモールドされて、モータ１の防水及び絶縁が確保される。
【００１９】
次に、モータ１の電気的構成について、図面を用いて説明する。
図５に示すように、整流子２４と接触する一対のブラシ３９は、バッテリ（図示略）のプラス端子＋ＢとＧＮＤ端子とに接続されている。そのプラス端子＋ＢとＧＮＤ端子との間には、一対のチップコンデンサＣ１，Ｃ２が直列に接続されている。その一対のチップコンデンサＣ１，Ｃ２の間の中点Ｎ（中間端子４２）は、ヨーク２０に接続されている。
【００２０】
以上、詳述したように本実施形態によれば、次のような作用、効果を得ることができる。
（１）一対のチップコンデンサＣ１，Ｃ２は、ブラシホルダ３４上の外側面に配設されている。その一対のチップコンデンサＣ１，Ｃ２は、中間端子４２の端子部４３，４４と、雌端子３７に挿入された挟持端子４０の挟持片４１とで挟持されている。しかも、一対のチップコンデンサＣ１，Ｃ２を挟持することによって、電気的にも接続されている。このため、半田付けする必要もなく、部品点数や組立工数をも削減することができる。従って、簡単な構成で一対のチップコンデンサＣ１，Ｃ２を取り付けることができる。しかも、一対のチップコンデンサＣ１，Ｃ２は、ブラシホルダ３４上の外側面に配設されているため、モータ１を組み立てた後、必要に応じて一対のチップコンデンサＣ１，Ｃ２を取り付けることができる。
【００２１】
（２）加えて、ブラシ３９を配設したブラシスプリング３８と、雌端子３７と、雄端子３１とが一体的に形成されている。しかも、雌端子３７に挿入した挟持端子４０で一対のチップコンデンサＣ１，Ｃ２が電気的にも接続されている。このため、一対のチップコンデンサＣ１，Ｃ２を接続するための配線長が短くなる。換言すれば、一対のチップコンデンサＣ１，Ｃ２を接続するためのハーネスが不要となる。従って、輻射ノイズがハーネスから発生するおそれを抑制することができる。
【００２２】
（３）中間端子４２の中間位置には、上方に湾曲された凸部４５ａを有する接続端子片４５が延出形成されている。このため、ヨーク２０とエンドフレーム３０とが嵌合したとき、凸部４５ａがヨーク２０の内側面と確実に接触する。従って、中間端子４２の凸部４５ａをヨーク２０の内側面と弾性接触させることによって、電気的に接続することができる。
【００２３】
なお、前記実施形態は、次のように変更して具体化することも可能である。
・前記実施形態では、雄端子３１を突出させ、その雄端子３１に電源供給用のハーネス３２を半田付けを行う構成であったが、この雄端子３１を省略し、図６に示すように、雌端子３７に電源供給用のハーネス３２と一対のチップコンデンサＣ１，Ｃ２を挟持するための挟持端子４０とを備えたソケット５０を挿入して接続する構成にしても良い。なお、ソケット５０と一対のチップコンデンサＣ１，Ｃ２との間に、絶縁を有する合成樹脂から構成される絶縁板５１を配設しても良い。このように構成すれば、一対のチップコンデンサＣ１，Ｃ２を確実に保持することができる。しかも、挟持端子４０と中間端子４２とによって、一対のチップコンデンサＣ１，Ｃ２を電気的にも接続することができる。
【００２４】
【発明の効果】
本発明は、以上のように構成されているため、次のような効果を奏する。
各請求項に記載の発明によれば、簡単な構成でノイズ消去素子を取り付けることができる。
【００２５】
特に、請求項４または請求項５に記載の発明によれば、ヨークに中間端子の接続端子片を電気的に接続することができる。
【図面の簡単な説明】
【図１】（ａ）モータの左側面図。
（ｂ）モータの平面図。
【図２】図１（ｂ）のＢ−Ｂ線における横断面図。
【図３】図１（ａ）のＡ−Ａ線における縦断面図。
【図４】（ａ）中間端子を示す平面図。
（ｂ）中間端子を示す右側面図。
（ｃ）中間端子を示す正面図。
【図５】モータの電気的構成図。
【図６】別の実施形態を示す図１（ａ）のＡ−Ａ線における縦断面図。
【符号の説明】
１…モータ、３０…エンドフレーム、３４…ブラシホルダ、３７…雌端子、４０…挟持端子、４２…中間端子、４５…接続端子片、４５ａ…凸部、５０…ソケット、Ｃ１，Ｃ２…ノイズ消去素子としてのチップコンデンサ。
【図１】
0004253075.tif 000002
【図２】
0004253075.tif 000003
【図３】
0004253075.tif 000004
【図４】
0004253075.tif 000005
【図５】
0004253075.tif 000006
【図６】
0004253075.tif 000007